(57)【要約】【課題】  壁面材５を取り付けるための支柱３０の建て込み作業を簡素化して施工期間の短縮と施工コストの低減を図ることができると共に、軽量盛土構造体の構築に本来必要とされる用地以外の用地使用を極力少なくすることができる、軽量盛土構造体を得る。【解決手段】  多段に積み上げた樹脂発泡体ブロック４からなる軽量盛土と、路盤材８などの仕上げ構造材と、軽量盛土の側面に沿うようにして配置した支柱３０と、支柱３０に取り付けた壁面材５とを少なくとも備える軽量盛土構造体Ａにおいて、支柱３０を、基礎コンクリートによりその下端部を支持することなく、上部コンクリート床版４０と下部コンクリート床版２０とに埋設されたアンカー部材４１，２１を利用して少なくとも上下の２箇所において支持させる。【選択図】  図１
2005232706.tif 000002
【特許請求の範囲】
【請求項１】
多段に積み上げた樹脂発泡体ブロックからなる軽量盛土と、軽量盛土の上面に構築した路盤などの仕上げ構造材と、軽量盛土の側面に沿うようにして配置した支柱と、支柱に取り付けた壁面材とを少なくとも備えた軽量盛土構造体であって、
軽量盛土には上部コンクリート床版に加えてさらに少なくとも１枚の下部コンクリート床版が備えられており、支柱は基礎コンクリートにより下端部が支持されることなく、上部コンクリート床版と下部コンクリート床版とに埋設されたアンカー部材を利用して少なくとも上下の２箇所において支持されていることを特徴とする軽量盛土構造体。
【請求項２】
アンカー部材の先端には支柱支持金具が着脱自在に取り付けてあり、該支柱支持金具を介して支柱がアンカー部材に取り付けてあることを特徴とする請求項１に記載の軽量盛土構造体。
【請求項３】
最も下位に位置する下部コンクリート床版は地表面により下位に位置していることを特徴とする請求項１または２に記載の軽量盛土構造体。
【請求項４】
支柱は最も下位に位置する下部コンクリート床版に埋設されたアンカー部材による取り付け位置よりもさらに下方にまで延長していることを特徴とする請求項１ないし３のいずれかに記載の軽量盛土構造体。
【請求項５】
請求項２ないし４のいずれかに記載の軽量盛土構造体を既存の軽量盛土構造体とし、その側方に新たな軽量盛土構造体を接続して路幅を拡幅する施工方法であって、施工に当たって、請求項２ないし４のいずれかに記載の軽量盛土構造体から壁面材と支柱とアンカー部材の先端に取り付けた支柱プレートとを取り外した後、露出しているアンカー部材の先端に新たに接続する軽量盛土構造体におけるコンクリート床版に埋設するアンカー部材の先端とを適宜の手段により接続した後、コンクリート床版用のコンクリートを打設する工程を少なくとも有することを特徴とする軽量盛土構造体の拡幅施工方法。
【請求項６】
新たに構築する軽量盛土構造体が請求項１ないし４のいずれかに記載の軽量盛土構造体の構造を備えることを特徴とする請求項５に記載の軽量盛土構造体の拡幅施工方法。
【発明の詳細な説明】
【技術分野】
【０００１】
本発明は軽量盛土構造体、特に壁面材を取り付けるための支柱の建て込み態様に改良を加えた軽量盛土構造体と、それを既存の軽量盛土構造体としてその側方に新たな軽量盛土構造体を構築していく軽量盛土構造体の拡幅施工方法に関する。
【背景技術】
【０００２】
発泡スチロールブロック（ＥＰＳブロック）のような樹脂発泡体ブロックを軽量盛土とした軽量盛土構造体は知られており、地盤改良にかかる経費の節減、工期の短縮、耐震性の向上などにおいて優れた効果を発揮することから、道路の拡幅工事など種々の土木工事において広く採用されている。特許文献１（特開平８−２７８１９号公報）の図１４、特許文献２（特開２００２−３１７４４７号公報）の図６、などにはその一例が示されており、図７に示すように、基礎コンクリート１に下部を埋め込んだ状態で地山の傾斜面２に対向して支柱３が立設され、傾斜面２と該支柱３の間に多段に樹脂発泡体ブロック４を積み重ねて軽量盛土とし、その上にコンクリート床版６を造り、その上に仕上げ構造材としての路盤材７やアスファルト舗装８などの施工を行っている。
【０００３】
支柱３は、主に、ＥＰＳブロックのような樹脂発泡体ブロック４を紫外線から保護するための壁面材５を取り付けるために用いられ、Ｈ鋼が多く用いられる。Ｈ鋼は重量物であり、図７の例では、基礎コンクリート１を打設するときに支柱３の下端を埋め込んで一体化している。また、立設したＨ鋼が側圧により外側に傾倒しないように、コンクリート床版６（あるいは図示しない中間のコンクリート床版）に埋設したアンカー部材６ａの一端を支柱支持金具９を介してＨ形鋼３のフランジに係着させるようにしている。また、特許文献１では、支柱支持金具９を支柱３であるＨ鋼に対して上下方向に摺動可能に取り付けるようにして、軽量盛土材４の沈み込みを許容するようにしている。
【０００４】
支柱３の他の建て込み態様として、特許文献１の図６には、図８に示すように、下端に固定用基板３ａを備えた支柱３を基礎コンクリート１に埋め込んだアンカーボルト３ｂを利用してナットにより締め付けて垂直に建て込むことが示されている。
【０００５】
【特許文献１】特開平８−２７８１９号公報
【特許文献２】特開２００２−３１７４４７号公報
【発明の開示】
【発明が解決しようとする課題】
【０００６】
上記のように従来の軽量盛土構造体の施工法においては、支柱としてＨ鋼を用いるために重機が必要であり、また、Ｈ鋼の下端を安定的に支持するために基礎コンクリートを構築するにも大きな作業を要している。図８に示すように支柱３を基礎コンクリート１に埋め込んだアンカーボルト３ｂを利用して建て込む方法は、比較して作業が楽であるが、基礎コンクリートを省略することはできない。基礎コンクリートは構築に大きな労力を必要とするばかりでなく、図示のように基礎コンクリート１の一部を壁面材５の外側に飛び出た状態で作られるのが普通であり、その分の用地を余分に確保することも必要となる。
【０００７】
また、例えば２車線道路である既存の軽量盛土構造体の側方に新たな軽量盛土構造体を接続して４車線の道路とするような拡幅工事が行われるが、その際に、従来の施工方法による軽量盛土構造体では支柱であるＨ鋼を除去する作業が容易でなく、Ｈ鋼を残したままで、側方に軽量盛土の積み上げやコンクリート床版の構築を行う場合がある。その場合、積み上げる軽量盛土（発泡スチロールブロック）からＨ鋼に相当する部分を切除する作業がどうしても必要となる。さらに、新たに構築する拡幅側の軽量盛土構造体でのコンクリート床版に埋設するアンカー部材の一端を、既存の軽量盛土構造体側に固定するのに困難な作業を必要としている。
【０００８】
近年になり、軽量盛土構造体に対して新たな研究が行われ、そこにおいて、本来ＥＰＳブロックのような樹脂発泡体ブロックは一側面がほぼ垂直面となるようにして多段に積み上げても十分に自立性を備えていること、そのために、樹脂発泡体ブロックを軽量盛土として一側面がほぼ垂直面となるように多段に積み上げ、その上面に路盤などの仕上げ構造材を配置するようにした軽量盛土構造体において、積み上げた軽量盛土の支持構造材としてのＨ鋼支柱を立設することは、本来不必要であったこと、が認識された。
【０００９】
本発明は、上記した従来の軽量盛土構造体が持つ不都合と軽量盛土構造体に対する新しい認識とに鑑みてなされたものであり、壁面材を取り付けるための支柱の建て込み作業を簡素化して施工期間の短縮と施工コストの低減を図ると共に、軽量盛土構造体の構築に本来必要とされる用地以上の用地を極力少なくすることができるようにした、改良された軽量盛土構造体を提供することを目的とする。
【００１０】
また、本発明の他の目的は、既存の軽量盛土構造体の側方に新たに軽量盛土構造体を構築して路幅を拡張する際の作業を簡素化することのできる、軽量盛土構造体における路幅の拡幅施工方法を提供することにある。
【課題を解決するための手段】
【００１１】
本発明による軽量盛土構造体は、多段に積み上げた樹脂発泡体ブロックからなる軽量盛土と、軽量盛土の上面に構築した路盤などの仕上げ構造材と、軽量盛土の側面に沿うようにして配置した支柱と、支柱に取り付けた壁面材とを少なくとも備えた軽量盛土構造体であって、軽量盛土には上部コンクリート床版に加えてさらに少なくとも１枚の下部コンクリート床版が備えられており、支柱は基礎コンクリートにより下端部が支持されることなく、上部コンクリート床版と下部コンクリート床版とに埋設されたアンカー部材を利用して少なくとも上下の２箇所において支持されていることを特徴とする。なお、本発明において、下部コンクリート床版には従来の中間コンクリート床版も含まれる。
【００１２】
本発明による軽量盛土構造体では、支柱は少なくとも上下の２箇所においてコンクリート床版に埋設したアンカー部材により支持されているのみであり、従来の軽量盛土構造体でのように支柱の下部を支持するための基礎コンクリートを必要としない。そのために、施工は大きく簡素化されると共に、側方への余分な張り出しを極力小さくすることができる。
【００１３】
また、本発明の軽量盛土構造体は、積み上げた軽量盛土の側圧を支持するための構造材としてのＨ鋼を立設することは本来不必要であったという上記認識をベースとしており、そのために、本発明において、支柱は、壁面材を安定して保持できるだけの強度を持つものであれば、任意の形状のものを用いることがでる。例えば、Ｌ型材、Ｉ型材、Ｃ型材、角形材、丸形材、などの軽量鋼材を適宜用いることができる。そのなかでも、低価格で必要な強度が得られることから、角形材（角形鋼）は最も好ましい。このような軽量材を支柱として用いること、また、基礎コンクリートが不要なことから、施工に際して、重機の使用を極力少なくすることができ、施工期間も施工コストも大きく改善される。
【００１４】
支柱とコンクリート床版に埋設するアンカー部材との間の取り付け態様は任意であってよい。施工の容易性から、アンカー部材の先端に支柱支持金具を着脱自在に取り付けておき、その支柱支持金具を利用して支柱をアンカー部材に取り付けるようにする態様は好適である。この態様の場合、後記するように、本発明による軽量盛土構造体を既存の軽量盛土構造体として路幅の拡幅工事を行う場合、その施工を簡素化することができる。
【００１５】
好ましくは、少なくとも上部コンクリート床版に埋設したアンカー部材と支柱との間の支持態様は、軽量盛土の沈み込みによるコンクリート床版の下方への移動が拘束を受けない支持態様とされる。それにより、上載荷重に起因して支柱およびそこに取り付けた壁面材が損傷を受けるのを回避することができる。
【００１６】
支柱は上下の２箇所が少なくともコンクリート床版によって支持されることが必要であるが、軽量盛土の積み上げ高さによっては、上部コンクリート床版に加えて、２枚以上の下部コンクリート床版が設置される場合がある。その場合には、支柱の２箇所以上の箇所を下部コンクリート床版で支持するようにしてもよい。
【００１７】
最も下部の下部コンクリート床版は地表面より下位に位置させることは望ましいが、それが地表面より上位に位置していても、差し支えない。最も下部の下部コンクリート床版の下位にさらに軽量盛土が多段に置かれていてもよい。その場合、下部コンクリート床版に埋設されたアンカー部材による取り付け位置よりもさらに下方にまで、支柱を延長させておくことは好ましく、それにより、施工途中で支柱が外側に倒れようとするのを抑え込むことができる。
【００１８】
本発明は、さらに、上記のいずれかに記載の軽量盛土構造体を既存の軽量盛土構造体とし、その側方に新たな軽量盛土構造体を接続して路幅を拡幅する施工方法であって、施工に当たって、上記のいずれかに記載の軽量盛土構造体から壁面材と支柱とアンカー部材の先端に取り付けた支柱プレートとを取り外した後、露出しているアンカー部材の先端に新たに接続する軽量盛土構造体におけるコンクリート床版に埋設するアンカー部材の先端とを適宜の手段により接続した後、コンクリート床版用のコンクリートを打設する工程を少なくとも有することを特徴とする軽量盛土構造体の拡幅施工方法をも開示する。新たに側方に構築する軽量盛土構造体に特に制限はないが、上記したいずれかにの軽量盛土構造体の構造を備えることは好ましい。
【００１９】
本発明による軽量盛土構造体の拡幅施工方法によれば、既存の軽量盛土構造体から壁面材を取り除いた後、支柱とアンカー部材の先端に取り付けた支柱プレートも容易に取り外すことができる。それにより、既存の軽量盛土の側面は実質的に平坦な面となるので、従来のように、軽量盛土の一部を除去するような作業を必要としない。また、既存のコンクリート床版に埋設したアンカー部材の先端は露出した状態となっており、新たな作ろうとする軽量盛土構造体側のコンクリート床版のアンカー部材と一体に接合する作業も適宜のカップリング等を用いて容易に行うことができる。そのようなことから、拡幅施工を容易かつ迅速に進めることが可能となる。
【００２０】
なお、本発明は、図７や図８に示したように片盛土型の軽量盛土構造体にも、また両側が垂直面となる両直型の軽量盛土構造体にも、等しく適用できることはいうまでもない。
【発明の効果】
【００２１】
本発明による軽量盛土構造体によれば、壁面材を取り付けるための支柱の建て込み作業を簡素化して施工期間の短縮と施工コストの低減を図ることができると共に、軽量盛土構造体の構築に本来必要とされる用地以外の用地使用を極力少なくすることができる。また、既存の軽量盛土構造体の側方に新たに軽量盛土構造体を構築して路幅を拡張する際の作業を簡素化することができるという、付加的な効果ももたらされる。
【発明を実施するための最良の形態】
【００２２】
以下、図面を参照しながら本発明の一実施の形態を説明する。図１は本発明による軽量盛土構造体の一例を示す概略断面図であり、図２は図１に示す軽量盛土構造体での下部コンクリート床版および上部コンクリート床版のアンカー部材と支柱との間の支持態様の一例を拡大して示している。図３は下部コンクリート床版のアンカー部材と支柱との間の支持態様を示す正面図、図４はその上面図であり、図５は下部コンクリート床版のアンカー部材と支柱との間の他の支持態様を示す側面図である。図６は、本発明による軽量盛土構造体の拡幅施工方法を説明するための図である。
【００２３】
この例での軽量盛土構造体Ａは、両側面が垂直面となった両直型の軽量盛土構造体であり、軟弱地盤が地表面Ｌから所要深さまで両垂直面状に掘削され、そこに必要高さまで軽量盛土としての樹脂発泡体ブロック（例えば、ＥＰＳブロック）４が多段に積み上げられる。そして、その上に路盤などの仕上げ構造材が作られて、所要幅の道路とされている。なお、図示しないが、図７に示すような片盛土型の軽量盛土構造体に対しても、本発明による支柱の支持構造はそのまま適用できる。
【００２４】
図１に示す軽量盛土構造体Ａを施工手順と共に説明する。最初に所定幅と長さにわたって、所定深さに地盤を掘削する。掘削面を整地した後、必要な場合には掘削下面に砂１０を敷き、その上に、軽量盛土としての樹脂発泡体ブロック４をこの例では３段に積み上げている。なお、この例において、３段に積み上げた最上段の樹脂発泡体ブロック４ａの上面は、地表面Ｌよりも下位に位置している。樹脂発泡体ブロック４ａの上面に、最下部となる第１下部コンクリート床版２０のための配筋を行い、一部の配筋に後記するアンカー部材２１としての機能を持たせる。
【００２５】
この例で、アンカー部材２１としての機能を果たす配筋の先端は第１下部コンクリート床版２０の両側から突き出る長さとされており、先端近傍にはネジ２２が切られていて、そこに第１の留めナット２３と第２の留めナット２４が螺合されている。この形態のアンカー部材２１が支柱３０の幅よりも幾分広い間隔を置いて平行状態に２本、第１下部コンクリート床版２０における支柱３０を取り付けるべき位置に配置される。そして、所要の配筋を終えた後にコンクリートＣを打設することにより、第２の留めナット２４の部分を両側に突き出した状態で、２本のアンカー部材２１、２１はコンクリートＣ内に埋設固定される。なお、図示の例では、１本のアンカー部材２１の両端が第１下部コンクリート床版２０の両側から突き出る長さのものとしているが、左右別々のアンカー部材を２本、その先端が突き出るようにして配置してもよい。また、第１の留めナット２３は省略してもよい。
【００２６】
打設したコンクリートＣが硬化して第１下部コンクリート床版２０が形成された後、アンカー部材２１から第２の留めナット２４を取り外し、Ｌ型鋼板からなる支柱支持金具２５、２５を上下方向に向けて取り付け、第２の留めナット２４で固定する。固定された左右の支柱支持金具２５、２５の間に角形鋼である支柱３０の下端部を挿入し、ボルトナット２６により立設状態で固定する。
【００２７】
なお、支柱３０の長さは、構築する軽量盛土構造体Ａの盛土高さとほぼ同じものを用いる。盛土高さが高くなる場合には、複数本の支柱３０を適宜の方法で繋ぎ合わせて盛土高さとすることもできる。支柱３０が長尺であり立設状態が安定しない場合には、図示しないが、必要に応じて、適宜の支持材を地面側との間に取り付ける。
【００２８】
形成された第１下部コンクリート床版２０の上に、所要段にわたって樹脂発泡体ブロック４を積み上げる。図示の例では、途中に中間コンクリート床版に相当する第２下部コンクリート床版２０ａを形成し、さらにその上に樹脂発泡体ブロック４を積み上げた後、最上位の樹脂発泡体ブロック４ｂの上に、上部コンクリート床版４０を形成している。
【００２９】
第２下部コンクリート床版２０ａおよび上部コンクリート床版４０にも、第１下部コンクリート床版２０の場合と同様に、アンカー部材２１ａおよびアンカー部材４１を取り付ける。そして、該アンカー部材２１ａおよびアンカー部材４１を利用して支柱３０の中間位置と上端位置とを支持する。それられ支持態様は任意であり、上記したＬ型鋼板からなる支柱支持金具２５を用いた支持態様であってもよい。しかし、軽量盛土としての樹脂発泡体ブロック４が上載荷重によりわずかに沈み込むことを考慮して、アンカー部材２１ａと支柱３０の支持態様、およびアンカー部材４１と支柱３０の支持態様は、支柱支持金具が支柱３０に対して上下方向に摺動可能な態様であることが望ましい。
【００３０】
図２の上方の図はそのような取り付け態様の一例を示しており、アンカー部材２１ａ（４１）の先端に、支柱３０の周囲を抱え込む形態の山形をなす支柱支持金具２７の底辺部２８を、第２の留めナット２４を利用して着脱自在に取り付けている。支柱支持金具２７は支柱３０を外嵌合状態で支持する形態であり、樹脂発泡体ブロック４の沈み込みと共に、第２下部コンクリート床版２０ａおよび上部コンクリート床版４０が下方に移動しても、その移動は支柱３０に負荷を与えることなく進行する。そのために、支柱支持金具２７や支柱３０に破損が生じることはなく、支柱３０に取り付ける壁面材５にも影響を与えない。
【００３１】
軽量盛土の高さが低い場合や、何らかの方法により軽量盛土である樹脂発泡体ブロック４の沈み込みを吸収できる場合には、前記のように、Ｌ型鋼板からなる支柱支持金具２５を用いて支柱３０とアンカー部材２１ａ（４１）とを連結してもよい。その場合に、図示しないが、支柱支持金具２５に形成するボルト２６の通過孔を縦長の長孔とすることによっても、沈み込みの吸収は可能となる。
【００３２】
上記のようにして所要高さに積み上げた樹脂発泡体ブロック４の上に上部コンクリート床版４０を形成した後、従来工法と同じようにして、路盤材７やアスファルト舗装８などの仕上げ構造材を施工する。そして、立設した支柱３０を利用して壁面材５を取り付けることにより、図１に示す形態の本発明による軽量盛土構造体Ａが構築される。上記のように、本発明による軽量盛土構造体Ａでは、支柱３０を建て込むのに、従来のような基礎コンクリートを構築することなく、上部コンクリート床版と下部コンクリート床版のみを利用して、その建て込みを行っている。さらに、支柱３０としてＨ鋼のような重量物でなく軽量な形鋼をそのまま用いることができる。そのために、施工に重機を必要とせず、施工期間も短縮でき、施工コストは大きく低減する。
【００３３】
図５は、下部コンクリート床版２０のアンカー部材２１と支柱３０との間の他の支持態様を示している。ここでは、支柱３０の下端側３０ａは下部コンクリート床版２０を越えてさらに下方まで延出している。この態様では、支柱３０の下端側３０ａの側面が下位に位置する軽量盛土としての樹脂発泡体ブロック４ａ，４の側面に衝接した状態で立設するので、支柱３０が外側に倒れ込むのは抑制され、安定した立設状態が得られる。そのために、下部コンクリート床版２０よりも上に樹脂発泡体ブロック４を段積みする作業が容易となる。
【００３４】
図５に示す態様の場合、下部コンクリート床版２０の位置が地表面Ｌの位置よりも上にあっても、支柱３０の下端側３０ａを利用して壁面材を地表面以下の深さまで取り付けることができるので、実際上、何の不都合も生じない。もちろん、図１に示す第１下部コンクリート床版２０の位置が地表面Ｌの位置より下位にある場合であっても、図５に示す態様を採用することができる。
【００３５】
図示しないが、前記したように、図７に示すような片盛土型の軽量盛土構造体に対しても本発明による支柱の支持構造はそのまま適用できる。いずれの場合も、本発明の軽量盛土構造体Ａでは、側方の張り出しは支柱３０と壁面材５の分のみであり、本来必要とされる用地以上の用地を使用することなく、容易に軽量盛土構造体を構築することができる。
【００３６】
既存の軽量盛土構造体の沿って新たな軽量盛土構造体を形成して路幅を拡幅することが行われている。その施工において、既存の軽量盛土構造体が上記した本発明による軽量盛土構造体Ａの場合に、その施工は簡素化され省力化される。図６はそれを説明する図であり、前記のように、本発明による軽量盛土構造体Ａでは、壁面材５を取り外した後、第２の留めナット２４を外すことにより、アンカー部材２１、２１ａ、４１から支柱支持金具２５、２７を取り外すことができ、支柱支持金具２５、２７を取り外すと、支柱３０も容易にそこから取り外して除去することができる。
【００３７】
そして、そのようにして支柱と支柱支持金具を取り外した後の軽量盛土の側面には、アンカー部材２１、２１ａ、４１の先端が突き出ているだけで、実質的には平坦面である。従って、既存のすなわち本発明による軽量盛土構造体Ａでの軽量盛土の側面に沿って新たに作ろうとする軽量盛土構造体Ａ１の樹脂発泡体ブロック４を積み上げるときに、樹脂発泡体ブロック４をそのままの形で、密接した状態で積み上げることが可能となる。
【００３８】
さらに、樹脂発泡体ブロック４を掘削面から第１下部コンクリート床版２０の位置まで積み上げた後、新たな第１下部コンクリート床版２１Ｓを作るときに、そのアンカー部材を、既存のアンカー部材２１の先端に切られているネジ２２と適宜の連結具を利用して、容易かつ確実にアンカー部材２１に連結することができる。それにより、新たに作る第１下部コンクリート床版２１Ｓと既存の第１下部コンクリート床版２０との連接一体化が確実に図られる。
【００３９】
同様にして、新たに作る第２下部コンクリート床版２１ａＳと既存の第２下部コンクリート床版２０ａとの連接一体化、新たに作る上部コンクリート床版４０Ｓと既存の上部コンクリート床版４０との連接一体化も省力化した状態で容易に行うことができる。
【００４０】
新たに構築する軽量盛土構造体Ａ１での支柱３０Ｓの建て込み方法は、従来法すなわち基礎コンクリートを打設してそこに支柱の基礎を埋め込むような方法によってもよく、上記した本発明による立設方法によってもよい。施工環境に応じて選択すればよいが、本発明による支柱の立設方法を採用することにより、施工コストの低減がもたらされることは当然である。
【図面の簡単な説明】
【００４１】
【図１】本発明による軽量盛土構造体の一例を示す概略断面図。
【図２】図１に示す軽量盛土構造体での下部コンクリート床版および上部コンクリート床版のアンカー部材と支柱との間の支持態様の一例を拡大して示す図。
【図３】下部コンクリート床版のアンカー部材と支柱との間の支持態様を示す正面図。
【図４】図３に対応する上面図。
【図５】下部コンクリート床版のアンカー部材と支柱との間の他の支持態様を示す側面図。
【図６】本発明による軽量盛土構造体の拡幅施工方法を説明するための図。
【図７】従来の軽量盛土構造体の一例を説明する図。
【図８】従来の軽量盛土構造体の他の例を説明する図。
【符号の説明】
【００４２】
Ａ…軽量盛土構造体、Ｌ…地表面、４…軽量盛土としての樹脂発泡体ブロック、５…壁面材、７…路盤材、８…アスファルト舗装、２０…第１下部コンクリート床版、２１…アンカー部材、２０ａ…第２下部コンクリート床版、２１ａ…アンカー部材、２５…Ｌ型鋼板からなる支柱支持金具、２７…山形をなす支柱支持金、３０…支柱、３０ａ…支柱の下端側、４０…上部コンクリート床版、４１…アンカー部材
【図１】
2005232706.tif 000003
【図２】
2005232706.tif 000004
【図３】
2005232706.tif 000005
【図４】
2005232706.tif 000006
【図５】
2005232706.tif 000007
【図６】
2005232706.tif 000008
【図７】
2005232706.tif 000009
【図８】
2005232706.tif 000010